(57)【要約】【課題】優れた芳香性を発揮し、使用開始時から終了時まで外観が良好で、使用終点がわかりやすいゲル状芳香剤及びゲル状芳香剤の使用方法の提供。【課題の解決手段】底部及び／又は側面に、１個又は複数個の空気孔を簡単な操作で開けることが可能な容器に、ゲル化剤を含むゾル状物質として充填、封入され、ゲル化後使用するゲル状芳香剤であって、使用時に容器底部の空気孔を開け、別の容器に取り出して使用することにより、優れた芳香性を発揮し、使用開始時から終了時まで外観が良好で、使用終点がわかりやすいことを特徴とするゲル状芳香剤、及びその使用方法。【選択図】図１
2009011619.tif 000002
【特許請求の範囲】
【請求項１】
底部及び／又は側面に１個又は複数個の、簡単な操作で開けることが可能な空気孔を有する容器にゲル化剤を含むゾル状物質として充填、封入され、ゲル化後使用するゲル状芳香剤であって、使用時に該空気孔を開けることによって、容易に別の容器に取り出して使用することが可能なゲル状芳香剤。
【請求項２】
ゲル化剤が、ゼラチン、ジェランガム、カラギーナン、イソブチレン−無水マレイン酸共重合物から選ばれる1種又は２種以上である請求項１に記載のゲル状芳香剤。
【請求項３】
底部及び／又は側面に１個又は複数個の突起を有し、該突起を折り曲げることにより空気孔を開けることが可能な容器である請求項１又は２に記載のゲル状芳香剤。
【請求項４】
底部及び／又は側面に１個又は複数個の、フィルムでシールされた空気孔を有し、該フィルムを剥がすことで空気孔を開けることが可能な容器である請求項１又は２に記載のゲル状芳香剤。
【請求項５】
底部及び／又は側面に１個又は複数個の、簡単な操作で開けることが可能な空気孔を有する容器にゲル化剤を含むゾル状物質を充填、封入し、ゲル化されたゲル状芳香剤を、使用時に該空気孔を開け、かつ別の容器に取り出して使用するゲル状芳香剤の使用方法。
【請求項６】
底部及び／又は側面に１個又は複数個の突起を有し、該突起を折り曲げることにより空気孔を開けることが可能な容器である請求項５に記載のゲル状芳香剤の使用方法。
【請求項７】
底部及び／又は側面に１個又は複数個の、フィルムでシールされた空気孔を有し、該フィルムを剥がすことで空気孔を開けることが可能な容器である請求項５に記載のゲル状芳香剤の使用方法。
【発明の詳細な説明】
【技術分野】
【０００１】
本発明は、優れた芳香性を発揮し、使用開始時から終了時まで外観が良好で、使用終点がわかりやすいゲル状芳香剤及びゲル状芳香剤の使用方法に関する。
【背景技術】
【０００２】
従来、居間や玄関、トイレなどで使用されるゲル状芳香剤は、ゲル化剤として、カラギーナンや寒天、ゼラチン、ジェランガムなどが用いられ、容器にゾル状態で充填され、固化したものが製品として市販されている。通常このような製品は、使用時に蓋フィルムを剥がし、揮散口の開いたキャップを嵌めて使用されており、ゲルが充填された容器がそのまま使用されている。
【特許文献１】特開２００６−１６７２０２号公報
【特許文献２】特開２００６−１８０９５９号公報
【発明の開示】
【発明が解決しようとする課題】
【０００３】
このような製品は、使用経過とともにゲル内の芳香成分が揮散口から揮散するため、ゲルは揮散口付近から先に収縮する。このためゲルの形状は、揮散口付近は小さく、揮散口から遠い部分は大きくなり、外観的に好ましくない。さらに、底部付近のゲルは、空気に触れる機会が少ないため収縮が悪く、芳香成分が残っているにもかかわらず、香りが感じられず、終点が不明確であるという問題もあった。また、ゲル形状は容器形状に依拠し、上面は平面のものしかできず、デザイン性に乏しいのが現状だった。
【課題を解決するための手段】
【０００４】
上記課題を解決するため、本発明は以下の構成を採用する。
（１）底部及び／又は側面に１個又は複数個の、簡単な操作で開けることが可能な空気孔を有する容器にゲル化剤を含むゾル状物質として充填、封入され、ゲル化後使用するゲル状芳香剤であって、使用時に該空気孔を開けることによって、容易に別の容器に取り出して使用することが可能なゲル状芳香剤。
（２）ゲル化剤が、ゼラチン、ジェランガム、カラギーナン、イソブチレン−無水マレイン酸共重合物から選ばれる1種又は２種以上である（１）に記載のゲル状芳香剤。
（３）底部及び／又は側面に１個又は複数個の突起を有し、該突起を折り曲げることにより空気孔を開けることが可能な容器である（１）又は（２）に記載のゲル状芳香剤。
（４）底部及び／又は側面に１個又は複数個の、フィルムでシールされた空気孔を有し、該フィルムを剥がすことで空気孔を開けることが可能な容器である（１）又は（２）に記載のゲル状芳香剤。
（５）底部及び／又は側面に１個又は複数個の、簡単な操作で開けることが可能な空気孔を有する容器にゲル化剤を含むゾル状物質を充填、封入し、ゲル化されたゲル状芳香剤を、使用時に該空気孔を開け、かつ別の容器に取り出して使用するゲル状芳香剤の使用方法。
（６）底部及び／又は側面に１個又は複数個の突起を有し、該突起を折り曲げることにより空気孔を開けることが可能な容器である（５）に記載のゲル状芳香剤の使用方法。
（７）底部及び／又は側面に１個又は複数個の、フィルムでシールされた空気孔を有し、該フィルムを剥がすことで空気孔を開けることが可能な容器である（５）に記載のゲル状芳香剤の使用方法。
【発明の効果】
【０００５】
本発明のゲル状芳香剤は、前記の如く構成し、容易に別の容器に取り出すことを可能にしたことにより、優れた芳香性を発揮し使用開始時から終了時まで外観が良好で、使用終点がわかりやすく、安価である。また、その使用方法も利便性に富み、極めて実用的である。
【発明を実施するための最良の形態】
【０００６】
以下、図面を参考にして本発明の実施の形態を説明する。
本発明に用いられるゲル状芳香剤用容器は、図１ないし図３に示すように、容器底面に簡単な操作で空気孔を開けられる構造を有している。本発明に用いる容器は、各種プラスチックにより成形することができ、好ましくは硬質ないし半硬質熱可塑性プラスチック成形材料を用いるのが良い。これらのプラスチック成形材料をシート状に加工し、真空成形法や圧空成形法等により、熱成形するか、または、該成形材料を、直接、射出成形するかして包装容器を容易に量産することができる。上記プラスチック成形材料としては、例えば、塩化ビニール系樹脂、ポリオレフィン系樹脂、ポリエステル系樹脂等各種の熱可塑性樹脂を使用することができる。
【０００７】
図１には、容器底面に棒状の突起を設けた例を示す。容器を逆さまにした後、該突起を折ることにより、容器底面に孔があき、そこから空気が内部に入り込むことでゲル状芳香剤の剥離を容易にした構造を示した。本発明に用いられる突起の形状は、突起を折り曲げることによって容器底面に簡単に空気孔を開けることが可能であれば特に限定されず、円柱形や十字形等を用いることができる。
【０００８】
図２、図３には、容器底面に開けた空気孔をフィルムでシールし、容器を逆さまにした後、該シールを剥がすことにより、容器底面に孔があき、そこから空気が内部に入り込むことでゲル状芳香剤の剥離を容易にした構造を示した。空気孔をシールするフィルム材には、ポリビニール系樹脂や、ポリオレフィン系樹脂、ポリエステル系樹脂またはアルミラミネートフィルム等を用いることができ、これらのフィルムを熱融着して密封する。
【０００９】
図４ないし図７に、ゲル状芳香剤を別容器に取り出した後の状態を示す。図４、図５のように、ゲル状芳香剤は、底面以外は全て空気と接触できるため、香り立ちがよく、ゲルの収縮も均一になるため、揮散初期から後期まで、ゲルの形状はほとんど変わらず、美観を保ちながら収縮することが可能になった。図６、図７には、ゲル状芳香剤がすっぽり納まる外容器に取り出した様子を示しているが、ゲルと外容器の間には十分な間隔があるため、図１１、図１２に示した従来品のような直接容器から揮散させるものに比べ、優れた芳香性を発揮し、揮散初期から後期まで、ゲルの形状はほとんど変わらず、美観を保つことができる。
【００１０】
ゲル状芳香剤を構成するゲル化剤としては、例えば、ゼラチン、ジェランガム、カラギーナン、寒天のような天然系ゲル化剤や、カルボキシメチルセルロース、ポリビニルピロリドン、ポリビニルアルコール、ポリアクリル酸、ウレタンポリマー、イソブチレン−無水マレイン酸共重合体などが挙げられる。透明性の点から、ゼラチン、ジェランガム、カラギーナン、またはイソブチレン−無水マレイン酸共重合体を用いたものが好ましい。
【００１１】
これらの剤によるゲル化には、加熱溶解した溶液の冷却や架橋反応などが用いられ、架橋反応によりゲル化させる場合は、ゲル化剤に応じた架橋剤が使用される。架橋剤としては、ゲル化剤と架橋反応するものであれば、特に限定されるものではないが、ジェランガムやカラギーナンの場合には、硫酸亜鉛、硫酸アルミニウム、硫酸鉄、塩化カルシウム、カリウムミョウバン等の各種多価金属塩から、イソブチレン−無水マレイン酸共重合物の場合には、ポリエチレンイミン、テトラエチレンペンタミン等のポリアミン類等から、ゼラチンの場合には、イソブチレン−無水マレイン酸共重合物のアンモニア変性物等から適宜選択され、架橋剤として配合することができる。
【００１２】
上記ゲル状芳香剤には、ゲル化剤の他、香料、そして香料を可溶化するための界面活性剤、溶剤等が配合される。芳香成分の他に、必要に応じて消臭成分、殺菌成分、殺虫成分などを配合することができる。
【００１３】
本発明において、ゲル状芳香剤は、底部及び／又は側面に１個又は複数個の空気孔を簡単な操作で開けることが可能な容器にゾル状態で充填され、その後、固化される。
【００１４】
次に、具体的実施例に基づいて、本発明のゲル状芳香剤をさらに詳細に説明する。
【実施例１】
【００１５】
イソブチレン−無水マレイン酸共重合物のアンモニア変性物５．０ｇを水８４．２ｇに溶解後、ポリエチレンイミン０．３ｇを加え、よく攪拌した。その後、別容器で混合した香料２．５ｇ、界面活性剤５．０ｇ、プロピレングリコール３．０ｇを攪拌しながら添加し、ゾル状物質を調製した。このゾル状物質を底部に突起を有する容器（図１）に充填し、ゲル化後使用するゲル状芳香剤を得た。
底部の突起を折ることにより空気孔を開け、該ゲル状芳香剤を皿状の別容器に取り出して、香り立ちおよびゲルの収縮性をみたところ、揮散初期から後期にいたるまで、香り立ちがよく、ゲル形状も図５および図７に示すように、形がくずれることなく、小さく収縮しており、終点が明確であった。
【実施例２】
【００１６】
ゼラチン３．０ｇを水８６．０ｇに約９０℃で加熱溶解した。約５０℃に冷却後、別容器で混合した香料２．５ｇ、界面活性剤５．０ｇ、プロピレングリコール３．０ｇ、イソブチレン−無水マレイン酸共重合物のアンモニア変性物０．５ｇを攪拌しながら添加し、ゾル状物質を調製した。このゾル状物質を底部の空気孔をフィルムで密封した容器（図２）に充填し、ゲル化後使用するゲル状芳香剤を得た。
底部のフィルムを剥がすことにより空気孔を開け、該ゲル状芳香剤を、天面の開いた立方体の別容器に取り出して、香り立ちおよびゲルの収縮性をみた。その結果、実施例１と同様、香り立ちおよびゲルの収縮性は極めて良好であった。
【実施例３】
【００１７】
比較例として、実施例１に記載のゾル状物質を図１１の容器に充填、ゲル化して従来のゲル状芳香剤を得た。このゲル状芳香剤は、揮散後期の香り立ちが悪く、ゲル形状も図１２に示すように、底部付近は収縮が悪く、不恰好であるばかりか、終点が分かりにくかった。
【００１８】
このように、本発明のゲル状芳香剤は、使用に伴い経時的に水分や芳香成分が揮散してゲルが収縮するが、ゲル全体が空気と接触しているため、香り立ちがよく、ゲルの収縮も均一である。従って、揮散初期から後期まで、ゲルの形状はほとんど変わらず、美観を保ちながら収縮し、このため、ゲルの収縮状況から使用終点を明確に視認することも可能となった。そして、かかるゲル状芳香剤の使用方法は、シンプルで使い勝手がよく、極めて実用的なものである。
【図面の簡単な説明】
【００１９】
【図１】底部に突起を有する容器を示す説明図である。
【図２】底部の空気孔をフィルムで密封した容器を示す説明図である。
【図３】図２のフィルムを剥がしたところを示す説明図である。
【図４】本発明のゲル状芳香剤を図１の突起を折ることによって、皿状の別容器に移した使用状態を示す説明図である。
【図５】図４の使用経過状態を示す説明図である。
【図６】本発明のゲル状芳香剤を図２、３のフィルムを剥がすことによって、天面が開いた立方体の別容器に移した使用状態を示す説明図である。
【図７】図６の使用経過状態を示す説明図である。
【図８】半球型の容器に充填し、ゲル化したゲル状芳香剤の使用例を示す説明図である。
【図９】多角錐の容器に充填し、ゲル化したゲル状芳香剤の使用例を示す説明図である。
【図１０】星型の容器に充填し、ゲル化したゲル状芳香剤の使用例を示す説明図である。
【図１１】一般的なゲル状芳香剤を示す説明図である。
【図１２】図１１の使用経過状態を示す説明図である。
【符号の説明】
【００２０】
１・・・容器
２・・・ゲル状芳香剤
３・・・突起
４・・・フィルム
５・・・空気孔
６・・・別容器（皿状）
７・・・別容器（立方体）
８・・・キャップ
９・・・揮散口
【図１】
2009011619.tif 000003
【図２】
2009011619.tif 000004
【図３】
2009011619.tif 000005
【図４】
2009011619.tif 000006
【図５】
2009011619.tif 000007
【図６】
2009011619.tif 000008
【図７】
2009011619.tif 000009
【図８】
2009011619.tif 000010
【図９】
2009011619.tif 000011
【図１０】
2009011619.tif 000012
【図１１】
2009011619.tif 000013
【図１２】
2009011619.tif 000014